(57)【要約】【課題】学習指導者が学習者に適切な問いかけをして学習者の思考を促す支援を行うことができる学習支援システム等を提供する。【解決手段】学習支援システムは、思考力の種類に対応する複数の項目を表す項目データと、思考力の種類に応じて規定された発問を表す発問データと、思考力の種類に応じて規定された回答形式である話型を表す話型データと、を関連付けて格納する記憶部と、上記複数の項目を学習指導者が使用する第１の端末に配信して表示させる項目配信部と、第１の端末から送信された信号に基づき、第１の端末において選択された項目を抽出する項目抽出部と、抽出された項目に対応する思考力の種類に応じた発問を第１の端末に配信して表示させる発問配信部と、抽出された項目に対応する思考力の種類に応じた話型を、学習者が使用する第２の端末に配信して表示させる話型配信部と、を備える。【選択図】図１
2019179139.tif 000002
【特許請求の範囲】
【請求項１】
学習指導者に使用させる第１の端末と、学習者に使用させる第２の端末とが接続された通信ネットワークを介して使用される学習支援システムであって、
思考力の種類に対応する複数の項目を表す項目データと、前記思考力の種類に応じて規定された発問を表す発問データと、前記思考力の種類に応じて規定された回答形式である話型を表す話型データと、を関連付けて記憶する記憶部と、
前記複数の項目を前記第１の端末に配信して表示させる項目配信部と、
前記第１の端末から送信された信号に基づき、前記複数の項目のうち前記第１の端末において選択された項目を抽出する項目抽出部と、
前記項目抽出部により抽出された項目を表す項目データと関連付けられた発問データに基づき、該項目に対応する思考力の種類に応じた発問を前記第１の端末に配信して表示させる発問配信部と、
前記項目抽出部により抽出された項目を表す項目データと関連付けられた話型データに基づき、該項目に対応する思考力の種類に応じた話型を前記第２の端末に配信して表示させる話型配信部と、
を備える学習支援システム。
【請求項２】
前記思考力の種類は教科別に設定され、
前記第１の端末から教科に関する情報が送信された場合、前記項目配信部は、前記教科に関する情報に基づき、前記複数の項目のうち、当該教科に対応する１つ以上の項目を前記第１の端末に配信して表示させる、
請求項１に記載の学習支援システム。
【請求項３】
前記第１の端末において、前記複数の項目と前記発問との少なくともいずれかの表示と非表示とが切り替え可能である、請求項１又は２に記載の学習支援システム。
【請求項４】
前記第２の端末において、前記話型の表示と非表示とが切り替え可能である、請求項１〜３のいずれか１項に記載の学習支援システム。
【請求項５】
学習指導者に使用させる第１の端末と、学習者に使用させる第２の端末とが接続された通信ネットワークを介して実行される学習支援方法であって、
前記通信ネットワークに、思考力の種類に対応する複数の項目を表す項目データと、前記思考力の種類に応じて規定された発問を表す発問データと、前記思考力の種類に応じて規定された回答形式である話型を表す話型データと、を関連付けて格納する記憶部が接続され、
前記複数の項目を前記第１の端末に配信して表示させるステップ（ａ）と、
前記第１の端末から送信された信号に基づき、前記複数の項目のうち前記第１の端末において選択された項目を抽出するステップ（ｂ）と、
ステップ（ｂ）において抽出された項目を表す項目データと関連付けられた発問データに基づき、該項目に対応する思考力の種類に応じた発問を前記第１の端末に配信して表示させるステップ（ｃ）と、
ステップ（ｂ）において抽出された項目を表す項目データと関連付けられた話型データに基づき、該項目に対応する思考力の種類に応じた話型を前記第２の端末に配信して表示させるステップ（ｄ）と、
を含む学習支援方法。
【請求項６】
学習指導者に使用させる第１の端末及び学習者に使用させる第２の端末と通信ネットワークを介して接続されたサーバに実行させる学習支援プログラムであって、
前記サーバは、思考力の種類に対応する複数の項目を表す項目データと、前記思考力の種類に応じて規定された発問を表す発問データと、前記思考力の種類に応じて規定された回答形式である話型を表す話型データと、を関連付けて格納する記憶部を備え、
前記複数の項目を前記第１の端末に配信して表示させるステップ（ａ）と、
前記第１の端末から送信された信号に基づき、前記複数の項目のうち前記第１の端末において選択された項目を抽出するステップ（ｂ）と、
ステップ（ｂ）において抽出された項目を表す項目データと関連付けられた発問データに基づき、該項目に対応する思考力の種類に応じた発問を前記第１の端末に配信して表示させるステップ（ｃ）と、
ステップ（ｂ）において抽出された項目を表す項目データと関連付けられた話型データに基づき、該項目に対応する思考力の種類に応じた話型を前記第２の端末に配信して表示させるステップ（ｄ）と、
を実行させる学習支援プログラム。
【発明の詳細な説明】
【技術分野】
【０００１】
本発明は、学習支援システム、学習支援方法及びプログラムに関する。
【背景技術】
【０００２】
近年、教育分野では、児童・生徒などの学習者の思考力の育成が課題となっている。そのため、学校等の教育現場や教育研究機関においては、思考力を伸ばす学習方法の開発や、思考力を伸ばす学習指導者の育成に力が注がれている。
【０００３】
他方、タッチパネルを有するタブレット型端末を利用した教育システムの開発も行われている。例えば、下記特許文献１には、学校の授業に参加する全ての生徒にタブレット型端末を配布し、各生徒のレベルに応じた問題をタブレット型端末に配信しながら授業を進める学習支援システムが開示されている。
【先行技術文献】
【特許文献】
【０００４】
【特許文献１】特開２０１３−２０５７９５号公報
【発明の概要】
【発明が解決しようとする課題】
【０００５】
教育分野においては、思考力を伸ばすためには、思考を促す問いかけが重要であることは知られている。しかしながら、推論する思考力、分類する思考力、順序立てる思考力など、様々な思考力がある中、どのような場面でどのような問いかけをすれば、意図した思考力を伸ばすことができるのか、熟練した学習指導者であっても判断することは難しい。
【０００６】
また、児童・生徒などの学習者にとっても、問いかけをされた際に学習指導者の意図が伝わらなければ、何をどう思考すれば良いのか戸惑ってしまうことがある。
【０００７】
本発明は、上述した問題に鑑みてなされたものであり、学習指導者が学習者に適切な問いかけをして学習者の思考を促す支援を行うことができる学習支援システム、学習支援方法及びプログラムを提供することを目的の一つとする。
【課題を解決するための手段】
【０００８】
上記課題を解決するため、本発明に係る学習支援システムは、学習指導者に使用させる第１の端末と、学習者に使用させる第２の端末とが接続された通信ネットワークを介して使用される学習支援システムであって、思考力の種類に対応する複数の項目を表す項目データと、前記思考力の種類に応じて規定された発問を表す発問データと、前記思考力の種類に応じて規定された回答形式である話型を表す話型データと、を関連付けて記憶する記憶部と、前記複数の項目を前記第１の端末に配信して表示させる項目配信部と、前記第１の端末から送信された信号に基づき、前記複数の項目のうち前記第１の端末において選択された項目を抽出する項目抽出部と、前記項目抽出部により抽出された項目を表す項目データと関連付けられた発問データに基づき、該項目に対応する思考力の種類に応じた発問を前記第１の端末に配信して表示させる発問配信部と、前記項目抽出部により抽出された項目を表す項目データと関連付けられた話型データに基づき、該項目に対応する思考力の種類に応じた話型を前記第２の端末に配信して表示させる話型配信部と、を備えるものである。
【０００９】
ここで、思考力の種類には、学習者に提示された情報（例えば、問題文や課題）から、重要な情報を読み取るための思考力に相当する「抽出する」、学習者がこれまでに学んだことや、経験したことを踏まえて、解決策（法則を見つける）を見通すための思考力に相当する「解決の方針を立てる」、法則を見つけるために、複数のものを場合分けするための思考力に相当する「分類する」、法則を見つけるために、２つのものを比較し、共通点や相違点を見つけるための思考力に相当する「特徴を比較する」、法則を見つけるために、伴って変わるものに着目し、変わり方を捉える思考力に相当する「変化を捉える」、法則を見つけるために、もとにする数のいくつ文かを捉え、数の大小を比較するための思考力に相当する「大小を比較する」などがある。
【００１０】
また、発問データとは、思考力の種類に応じて規定された情報であり、その思考力に応じた思考を学習者に促すための、学習指導者から学習者に対して発せられるべき質問の内容を示すデータである。典型的には、質問のうち、その思考力に応じた思考を学習者に促すために本質的な部分のみを含む情報である。学習指導者は、発問データに基づいて表示された発問を見れば、学習者に対して、所定の思考力に応じた思考を学習者に促すための質問を発することができる。
【００１１】
また、話型データとは、思考力の種類に応じて規定された情報であり、その思考力に応じた思考を学習者に促すための、学習指導者からの質問に対して、学習者から発せられるべき回答の内容を示すデータである。典型的には、回答のうち、その思考力に応じた思考を学習者に促すために本質的な部分のみを含む情報である。学習者は、話型データに基づいて表示された話型に従った回答を試みることにより、所定の思考力に応じた思考を促される。
【００１２】
これら発問データ又は話型データは、汎用性を持たせるために、具体的な問題に相当する部分を空欄で表示するように構成される不完全な文章を発問として表示するための情報であってもよい。
【００１３】
例えば、発問として「前に学んだ〜のときはどうやりましたか」と表示させるための情報を発問データとして規定することができる。このように、不完全な文章を発問として表示させ、不完全な部分を明示的にわかりやすく示すことにより、学習指導者は、不完全な部分を、事例に応じて補充しながら発問をすることができる。
【００１４】
また、例えば、話型として「求めることは〜です」と表示させるための情報を話型データとして規定することができる。このように、不完全な文章を話型として表示させ、不完全な部分を明示的にわかりやすく示すことにより、不完全な部分を補充するような思考を学習者に促すことができる。また、これら発問データ又は話型データは、学習指導者など、所定の権限を有する者が編集できるようにしてもよい。
【００１５】
一方で、発問データ又は話型データは、特定の問題と関連付けて規定されていてもよい。例えば、特定の問題を示す問題データを話型データとともに第２の端末に送信し、その問題と話型を表示させるように構成してもよい。
【００１６】
このとき、単一の問題データに対して、複数の発問データ又は話型データを関連付けて規定してもよい。例えば、問題データとして、算数の問題とし、問題が求めていることを抽出するための「抽出する」思考力を養わせるための発問データ及び話型データを１つ目のデータとして規定し、続いて、問題の解決方針を立てるための「解決の方針を立てる」思考力を養わせるための発問データ及び話型データを２つ目のデータとして規定し、記憶部に記憶させてもよい。このように、単一の問題に対して、複数の発問データ、話型データ又はそれらの組み合わせを、順序付けて規定することにより、正解に到達するためのプロセスを細分化することが可能になる。学習者は、各プロセスを順番に回答することによって、正解に到達するために必要な様々な種類の思考力を養うことができる。
【００１７】
上記学習支援システムにおいて、前記思考力の種類は教科別に設定され、前記第１の端末から教科に関する情報が送信された場合、前記項目配信部は、前記教科に関する情報に基づき、前記複数の項目のうち、当該教科に対応する１つ以上の項目を前記第１の端末に配信して表示させても良い。例えば、同一の思考力の種類であっても、科目に応じて発問データ又は話型データは、異なっていてもよい。また、学習者の年齢等に応じて、発問データ又は話型データは、異なっていてもよい。
【００１８】
上記学習支援システムでは、前記第１の端末において、前記複数の項目と前記発問との少なくともいずれかの表示と非表示とを切り替え可能であっても良い。また、上記学習支援システムでは、前記第２の端末において、前記話型の表示と非表示とを切り替え可能であっても良い。
【００１９】
本発明に係る学習支援方法は、学習指導者に使用させる第１の端末と、学習者に使用させる第２の端末とが接続された通信ネットワークを介して実行される学習支援方法であって、前記通信ネットワークに、思考力の種類に対応する複数の項目を表す項目データと、前記思考力の種類に応じて規定された発問を表す発問データと、前記思考力の種類に応じて規定された回答形式である話型を表す話型データと、を関連付けて格納する記憶部が接続され、前記複数の項目を前記第１の端末に配信して表示させるステップ（ａ）と、前記第１の端末から送信された信号に基づき、前記複数の項目のうち前記第１の端末において選択された項目を抽出するステップ（ｂ）と、ステップ（ｂ）において抽出された項目を表す項目データと関連付けられた発問データに基づき、該項目に対応する思考力の種類に応じた発問を前記第１の端末に配信して表示させるステップ（ｃ）と、ステップ（ｂ）において抽出された項目を表す項目データと関連付けられた話型データに基づき、該項目に対応する思考力の種類に応じた話型を前記第２の端末に配信して表示させるステップ（ｄ）と、を含むものである。
【００２０】
本発明に係る学習支援プログラムは、学習指導者に使用させる第１の端末及び学習者に使用させる第２の端末と通信ネットワークを介して接続されたサーバに実行させる学習支援プログラムであって、前記サーバは、思考力の種類に対応する複数の項目を表す項目データと、前記思考力の種類に応じて規定された発問を表す発問データと、前記思考力の種類に応じて規定された回答形式である話型を表す話型データと、を関連付けて格納する記憶部を備え、前記複数の項目を前記第１の端末に配信して表示させるステップ（ａ）と、前記第１の端末から送信された信号に基づき、前記複数の項目のうち前記第１の端末において選択された項目を抽出するステップ（ｂ）と、ステップ（ｂ）において抽出された項目を表す項目データと関連付けられた発問データに基づき、該項目に対応する思考力の種類に応じた発問を前記第１の端末に配信して表示させるステップ（ｃ）と、ステップ（ｂ）において抽出された項目を表す項目データと関連付けられた話型データに基づき、該項目に対応する思考力の種類に応じた話型を前記第２の端末に配信して表示させるステップ（ｄ）と、を実行させるものである。
【発明の効果】
【００２１】
本発明によれば、思考力の種類に対応する複数の項目のうち、学習指導者が使用する第１の端末において選択された項目と関連付けられた発問を第１の端末に配信して表示させると共に、選択された項目と関連付けられた話型を、学習者が使用する第２の端末に配信して表示させるので、学習指導者は第１の端末に表示された発問を参照して学習者に適切な問いかけをすることができ、学習者は第２の端末に表示された話型を参照して思考することができる。従って、学習者の思考を促す支援を行うことが可能となる。
【図面の簡単な説明】
【００２２】
【図１】本発明の一実施形態による学習支援システムの概略構成図（システム構成図）
【図２】本実施形態におけるサーバ装置の好適な一実施形態を示す概略構成図（システムブロック図）
【図３】図２に示すサーバ装置を機能的な観点から示す概略構成図（機能構成図）
【図４】発問−話型データベースに格納された情報を例示する模式図
【図５】図１に示す端末装置の概略構成図
【図６】本実施形態に係る学習支援システム１の処理シーケンス
【図７】先生端末に表示される画面を例示する模式図
【図８】先生端末に発問が表示された状態を例示する模式図
【図９】生徒端末に話型が表示された状態を例示する模式図
【図１０】生徒端末に話型が表示された状態を例示する模式図
【発明を実施するための形態】
【００２３】
以下、本発明の実施の形態について、図面を参照しつつ詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。またさらに、必要に応じて示す上下左右等の位置関係は、特に断らない限り、図示の表示に基づくものとする。さらにまた、図面における各種の寸法比率は、その図示の比率に限定されるものではない。また、同一の要素には同一の符号を付し、重複する説明を省略する。
【００２４】
図１は、本発明の一実施形態による学習支援システム１の概略構成図（システム構成図）である。同図に示すように、サーバ装置１００と、複数の端末装置２００とが、ネットワークＮを介して相互に通信可能に設定されることにより、学習支援システム１が構成される。
【００２５】
サーバ装置１００は、ネットワークＮに接続されたサーバ用コンピュータであり、そのサーバ用コンピュータにおいて所定のサーバ用プログラムが動作することにより、サーバ機能を実現するものである。本実施形態において、サーバ装置１００は、学習支援システム１により学校における協働学習や一斉学習等を支援する事業者等によって提供され得る。
【００２６】
端末装置２００は、ネットワークＮに接続され、サーバ装置１００にアクセス可能なコンピュータである。本実施形態では、学習指導者である先生が使用するものを先生端末２１０といい、学習者である生徒が使用するものを生徒端末２２０という。先生端末２１０と生徒端末２２０は、学習支援システム１におけるアクセス権限や利用可能な機能等が異なるものの、ハードウェア構成を変える必要はない。同じ一台の端末装置２００であっても、先生が先生のＩＤでログインすれば、先生端末２１０として機能し、生徒が生徒のＩＤでログインすれば、生徒端末２２０として機能する。すなわち、ログインするユーザのＩＤや区分に応じて、端末装置２００の役割が決定される。本実施形態において、先生端末２１０は、先生が授業の準備及び授業中に使用することが想定されている。生徒端末２２０は、生徒が授業中に使用することが想定されている。
【００２７】
本実施形態において、端末装置２００は、好適にはタブレットコンピュータ（以下「タブレット端末」という。）が想定される。そこで、以下においては、理解を容易にするべく、端末装置２００がタブレット端末である実施の形態を例にとって説明する。しかしながら、本発明において、端末装置２００はタブレット端末に限られるものではなく、ＰＣ（パーソナルコンピュータ。ノートパソコンを含む。）を採用してもよいことは言うまでもない。また、本実施形態では、学習支援システム１が、学校の授業で利用される場合について説明するが、本学習支援システム１は学校に限らず、塾や予備校、通信講座など、種々の場面における学習に利用することが可能である。その場合には、端末装置２００は、タブレット端末やＰＣの他に、家庭用ゲーム機器（携帯型ゲーム機を含む）、携帯電話機（いわゆるフィーチャーフォン）、スマートフォン（多機能携帯電話機）、携帯情報端末（Personal Digital Assistant；ＰＤＡ）、携帯音楽プレイヤ、電子書籍リーダ、その他のコンピュータ機器を採用してもよい。
【００２８】
ネットワークＮは、例えばインターネットや学校内に構築するＬＡＮ（local area network）等を含む情報処理に係る通信回線又は通信網（通信ネットワーク）であり、その具体的な構成は、サーバ装置１００と端末装置２００との間でデータの送受信が可能なように構成されていれば特に制限されず、有線であるか無線であるかも問わない。また、ネットワークＮは、複数種の通信回線や通信網及び種々のネットワーク機器を含んで構成され得る。例えば、ネットワークＮは、端末装置２００に無線接続される基地局や無線ＬＡＮのアクセスポイント（ＷｉＦｉルータ等）、基地局に接続された移動体通信網、アクセスポイントからルータやモデムを介して接続された電話回線、ケーブルテレビ回線又は光通信回線などの公衆回線、サーバ装置１００に接続されたインターネット、移動体通信網や公衆回線とインターネットを接続するゲートウェイ装置を含む。
【００２９】
図２は、本実施形態におけるサーバ装置１００の好適な一実施形態を示す概略構成図（システムブロック図）である。同図に示すように、サーバ装置１００は、ＣＰＵやＭＰＵといった演算処理部（プロセッサ）１０１、記憶装置としてのＲＯＭ１０２及びＲＡＭ１０３、入力部１０５及び外部メモリ１０６が接続された外部インターフェース１０４、ディスプレイモニタ１１１が接続された画像処理部１０７、ディスク又はメモリデバイス等が収容又は接続されるスロットドライブ１０８、スピーカ装置１１２が接続された音声処理部１０９、並びに、ネットワークインターフェース１１０を備え、これらが、例えば、内部バス、外部バス、及び拡張バスを含むシステムバスといった伝送路１２０を介して互いに接続されて構成される。なお、入力部１０５、外部メモリ１０６、ディスプレイモニタ１１１、スピーカ装置１１２等の入出力を担うデバイス装置は、必要に応じて適宜省略してもよいし、それらを備える場合であっても、それらは伝送路１２０に常時接続されていなくてもよい。
【００３０】
演算処理部１０１は、サーバ装置１００全体の動作を制御し、上述した他の構成要素との間で制御信号及び情報信号（データ）の送受信を行うとともに、学習支援の実行に必要な各種の演算処理を行う。そのため、演算処理部１０１は、いわゆるレジスタ等の高速アクセス可能な記憶領域に対して、数値演算ユニット等を用いた加減乗除等の算術演算、論理和、論理積、論理否定等の論理演算、ビット和、ビット積、ビット反転、ビットシフト、ビット回転等のビット演算等、更に必要に応じて、飽和演算、三角関数演算、ベクトル演算等を行うことが可能なように構成されている。
【００３１】
また、ＲＯＭ１０２には、一般に、電源投入後、最初に実行されるＩＰＬ（Initial Program Loader）が記録されており、これが実行されることにより、スロットドライブ１０８に収容又は接続されるディスクやメモリデバイスに記録されたサーバ用プログラムや学習支援プログラムが、演算処理部１０１によって一旦ＲＡＭ１０３に読み出され、そのプログラムが演算処理部１０１によって実行される。さらに、ＲＯＭ１０２には、サーバ装置１００全体の動作制御に必要なオペレーティングシステムのプログラムやその他の各種データが記録されている。
【００３２】
さらに、ＲＡＭ１０３は、サーバ用プログラム、学習支援プログラム、及び、各種データを一時的に記憶するためのものであり、上記の如く、読み出されたサーバ用プログラムや学習支援プログラム、その他、学習の進行や複数の端末装置２００間の通信に必要なデータ等がＲＡＭ１０３に保持される。さらに、演算処理部１０１は、ＲＡＭ１０３に変数領域を設定し、その変数領域に格納された値に対しても数値演算ユニットを用いた直接演算を行ったり、或いは、ＲＡＭ１０３に格納された値をレジスタに一旦複製又は移設格納してそのレジスタに対しても直接演算を行ったり、さらには、それらの演算結果をＲＡＭ１０３に書き戻したりといった処理を行う。
【００３３】
また、外部インターフェース１０４を介して接続された入力部１０５は、サーバ装置１００を用いて学習用の教材などを提供する事業者側のユーザが行う各種の操作入力を受け付けるものであり、入力部１０５としては、キーボード、タッチパッド、タッチパネルの他、例えば、音声入力装置を採用することができ、種々の操作入力、決定操作、取消操作、メニュー表示等の指示入力を行うことが可能であれば、デバイスの種類は特に制限されない。
【００３４】
さらに、ＲＡＭ１０３や、外部インターフェース１０４を介して着脱自在に接続された外部メモリ１０６には、サーバ装置１００の作動状況、各端末装置２００のアクセス状況、各端末装置２００における学習の進行状況や過去の成績等を示すデータ、端末装置２００間の通信のログ（記録）のデータ等が書き換え可能に記憶される。
【００３５】
また、画像処理部１０７は、スロットドライブ１０８から読み出された各種データを、演算処理部１０１により、又は、画像処理部１０７自体により加工処理した後、その処理後の画像情報をフレームメモリ等に記録する。このフレームメモリに記録された画像情報は、所定の同期タイミングでビデオ信号に変換され、画像処理部１０７に接続されるディスプレイモニタ１１１へ出力される。これにより、各種の画像表示が可能となる。また、学習支援に関する画像情報は、演算処理部１０１との協働処理等によって、画像処理部１０７及び／又は演算処理部１０１から各端末装置２００へ送出される。
【００３６】
またさらに、音声処理部１０９は、スロットドライブ１０８から読み出された各種データを音声信号に変換し、音声処理部１０９に接続されたスピーカ装置１１２から出力する。また、学習支援に関する音声情報（キャラクタの声や効果音など）は、演算処理部１０１との協働処理等によって、音声処理部１０９及び／又は演算処理部１０１から各端末装置２００へ送出される。
【００３７】
さらにまた、ネットワークインターフェース１１０は、サーバ装置１００をネットワークＮへ接続するためのものであり、例えば、ＬＡＮの構築に使用される諸規格に準拠するもの、アナログモデム、ＩＳＤＮモデム、ＡＤＳＬモデム、ケーブルテレビジョン回線を用いてインターネット等に接続するためのケーブルモデム等、及び、これらを、伝送路１２０を介して演算処理部１０１と接続するための通信インターフェース回路とから構成される。
【００３８】
なお、サーバ装置１００は、単一のコンピュータより構成されるものであっても、ネットワーク上に分散した複数のコンピュータより構成される、いわゆるクラウドコンピューティングの形態のものであってもよい。また、単一のコンピュータが複数のサーバ機能を備えるようなものでもよい。
【００３９】
サーバ装置１００のハードウェア構成は、上述したとおりであるが、図３は、図１及び図２に示すサーバ装置１００を機能的な観点から示す概略構成図（機能構成図）である。サーバ装置１００は、端末装置２００からの指示等に応じて、学習を支援するためのものであり、そのための機能として、少なくともサーバ通信部１３１、サーバ記憶部１３２、及びサーバ処理部１３３を備える。
【００４０】
サーバ通信部１３１は、サーバ装置１００とネットワークＮとの間で通信を行うものであり、端末装置２００等から受信したデータを、サーバ処理部１３３に供給するとともに、サーバ処理部１３３から供給されたデータを、端末装置２００へ送信する機能を有する。かかるサーバ通信部１３１は、具体的には、少なくとも上述した図２に示すネットワークインターフェース１１０から構成される。
【００４１】
また、サーバ記憶部１３２は、各種プログラムや各種データを記憶するためのものであり、具体的には、上述した、図２に示すＲＯＭ１０２、ＲＡＭ１０３、外部メモリ１０６、及びスロットドライブ１０８の少なくとも何れか１つから構成され得る。ここで、サーバ記憶部１３２に記憶される学習支援プログラムは、後述する処理手順を実行する学習支援アプリケーションのプログラムであり、サーバ記憶部１３２には、かかる学習支援に係る表示データや各種演算結果のデータも記録される。
【００４２】
また、本実施形態では、サーバ記憶部１３２に、生徒などの学習者の思考を促す発問と話型を格納した発問−話型データベースが記憶される。ここで、思考力には、推論する思考力、分類する思考力、順序立てる思考力、比較する思考力など様々な種類がある。そして、学習者の思考力を育成するためには、上述したような思考力の種類に応じて、思考を促す発問（問いかけ）をすることが重要である。例えば、推論する思考力を育成したい場合には、単に「予想してみましょう」と漠然と問いかけるのではなく、「〜について予想し、理由と共に発表しましょう」というように、思考の道筋や求められているアウトプットなども併せて提示することが効果的である。それにより、生徒は、どのような思考が求められているのかを理解し、提示された思考の道筋に沿って、或いは、求められているアウトプットに向かって、無理なく思考を促進させることができるからである。
【００４３】
図４は、発問−話型データベースに格納された情報を例示する模式図である。図４に示すように、発問−話型データベースＤＢ１には、思考力の種類に対応する項目を表す項目データと、思考力の種類に応じて規定された発問を表す発問データと、思考力の種類に応じて規定された話型（回答形式）を表す話型データとが関連付けられて格納されている。発問及び話型は、１種類の思考力の項目に対し、レベル別に複数規定されていても良い。例えば、項目「推論する」思考力のレベル「１」には、「〜について予想し、理由と共に発表しましょう。」という発問と、「(１）〜だと思います。（２）わけは、〜という経験／事実があるからです。」という話型とが関連付けられている。
【００４４】
図４においては、思考力の種類を表す複数の項目が、教科別の学習過程に沿って整理されている。本実施形態においては、思考力の種類を表す複数の項目並びに各項目に関連付けられた発問及び話型が、教科ごとに設定されているものとして説明する。思考力の種類を表す複数の項目並びに発問及び話型を教科ごとに設定する趣旨は、同じ種類の思考力であっても、教科によって発問の仕方や回答の仕方（誘導）を変えた方が生徒の思考が促進され易いことがあるからである。
【００４５】
しかしながら、思考力の種類を表す複数の項目並びに各項目に関連付けられた発問及び話型を、複数の教科を通して共通に設定しても良い。なお、図４においては、教科として理科及び社会のみを例示しているが、他の教科においても同様に、思考力の種類に応じた発問及び話型を規定できることは言うまでもない。
【００４６】
再び図３を参照すると、サーバ処理部１３３は、図２に示す演算処理部１０１から構成されており、演算処理部１０１による制御指令に基づいて後述の各機能モジュールによる処理が実行される。すなわち、演算処理部１０１が、本実施形態におけるサーバ処理部１３３として機能する。本実施形態において、サーバ処理部１３３は、機能モジュールとして、項目配信部１３４、項目抽出部１３５、発問配信部１３６、及び話型配信部１３７を備える。これらの各部（機能モジュール）は、演算処理部１０１のプロセッサで実行される上記各種プログラムにより実現され、或いは、ファームウェアとして演算処理部１０１に実装されていてもよい。なお、これらの各部の動作については、後述する。
【００４７】
図５は、図１に示す端末装置２００の概略構成図であり、機能的な観点を含む機能構成図でもある。なお、端末装置２００の好適なシステム構成（ハードウェア構成）は、図２に示すサーバ装置１００のシステム構成と共通する構成を備えることに加え、例えば、デジタルカメラやタッチパネル等を含んでいる。本実施形態において、端末装置２００は、上述の如く、例えばタブレット端末であり、図５に示すように、端末通信部２３１、端末記憶部２３２、操作部２３３、表示部２３４、及び端末処理部２３５を備えている。
【００４８】
端末通信部２３１は、所定の周波数帯を感受帯域とするアンテナを含む通信インターフェース回路を備え、端末装置２００を、無線通信ネットワークを介してネットワークＮに接続する。その場合の通信形態としては、特に制限されず、例えば、通信用の基地局やアクセスポイント等により割り当てられるチャネルを介して、その基地局やアクセスポイントとの間でＷＣＤＭＡ（登録商標）（Wideband Code Division Multiple Access）方式やＷｉＦｉ（Wireless Fidelity）方式等による無線信号回線を確立し、基地局やアクセスポイントとの間で通信を行う。そして、端末通信部２３１は、端末処理部２３５から供給されたデータをサーバ装置１００に送信するとともに、サーバ装置１００から受信したデータを端末処理部２３５に供給する。
【００４９】
端末記憶部２３２は、例えば、フラッシュメモリ、磁気ディスク装置、又は光ディスク装置のうちの少なくとも何れか１つを備え、端末処理部２３５での処理に用いられるオペレーティングシステムプログラム、ドライバプログラム、アプリケーションプログラム、データ等を記憶する。これらのうち、ドライバプログラムとしては、例えば、操作部２３３を制御するための入力デバイスドライバプログラム、表示部２３４を制御するための出力デバイスドライバプログラム等が挙げられる。また、アプリケーションプログラムとしては、先生用の教材（教科指導書や解説書）、生徒用の教材及び学習ノート、思考力を育成するための学習支援などに係るデータの取得及び表示を行うためのプログラム等が挙げられる。なお、端末記憶部２３２は、所定の処理に係る一時的なデータを一時的に記憶してもよい。
【００５０】
操作部２３３は、例えば、上述したサーバ装置１００の入力部１０５と同等の構成のものを例示することができる。本実施形態においては、操作部２３３として、例えば、タッチパネルを用いる。しかし、端末装置２００の操作が可能であり、ユーザ（先生及び生徒）が文字、数字等を入力することができるものであれば、どのようなデバイスでもよい。例えば、キーボードやマウス、タッチパッド等を用いてもよい。
【００５１】
タッチパネルは、表示部２３４の画面に対応する形状及び大きさの略矩形の検出面を備えており、この検出面上に物体が接触した場合に、当該物体の接触位置を検出する。本実施形態では、タッチパネルは、物体の接触位置を所定の時間間隔で順次検出する。タッチパネルの検出面は、表示部２３４の画面と重なるよう配置されている。また、タッチパネルは、必ずしも物体が検出面に接触した場合だけ物体の位置を検出するのではなく、検出面上の検出可能範囲まで物体が近接した場合に、当該物体の検出面に対する位置を検出するようにしてもよい。タッチパネルは、例えば、静電容量式や感圧式、光学式など、検出面上における物体の位置を検出可能なデバイスであれば、どのような方式のものであってもよい。
【００５２】
ユーザは、自分の指やスタイラス等の物体をタッチパネルに接触させて操作入力を行う。ユーザにより操作部２３３が操作されると、操作部２３３は、その操作に対応する信号を発生し、その信号を端末処理部２３５に供給する。端末装置２００は、ユーザによる操作信号を、上記の端末通信部２３１を介してサーバ装置１００へ送信することにより、学習の支援処理に必要な動作を要求する。
【００５３】
また、表示部２３４は、端末処理部２３５から供給された映像データに応じた映像、画像データに応じた画像等を表示するものであり、後述する端末装置２００の画面の主要部を構成する。かかる表示部２３４としては、テキスト、映像、画像等の表示が可能であればどのようなデバイスでもよく、例えば、液晶ディスプレイ、有機ＥＬ（Electro−Luminescence）ディスプレイ等が挙げられる。
【００５４】
さらに、端末処理部２３５は、ＣＰＵやＭＰＵといった一又は複数個のプロセッサ及びその周辺回路を備え、端末装置２００全体の動作を統括制御するものであり、例えば、上述したサーバ装置１００の演算処理部１０１と同等の構成のものを例示することができる。また、端末処理部２３５は、端末装置２００の各種処理が、端末記憶部２３２に記憶されているプログラム（オペレーティングシステムプログラム、ドライバプログラム、アプリケーションプログラム等）に沿って、且つ、操作部２３３の操作等に応じて適切な手順で実行されるように、端末通信部２３１、表示部２３４等の動作を制御する。
【００５５】
この端末処理部２３５は、上記の各種プログラムによって実現される、又は、ファームウェアとして端末装置２００に実装された機能モジュールとして、少なくとも操作制御部２３６と表示制御部２３７とを備えている。操作制御部２３６は、タッチパネルへの入力を制御する。表示制御部２３７は、サーバ装置１００から受信した情報に基づいて所定の画面情報を生成し、表示部２３４への表示や音声などの出力を制御する。
【００５６】
このように構成された学習支援システム１において実施される学習支援処理の実施形態について、以下に説明する。ここでは、学校の授業で学習支援システム１を利用する実施形態について説明する。図６は、本実施形態に係る学習支援システム１の処理シーケンスを示す図である。
【００５７】
授業などで学習支援システム１を利用する場合には、まず授業を開始したときなどに、先生と生徒が各自の端末装置２００から自分のログインＩＤを入力するなどして、学習支援システム１にログインし、各端末装置２００とサーバ装置１００との間の通信を確立する（Ｓ５１）。本実施形態のように学習支援システム１を学校の授業で利用する場合、各端末装置２００とサーバ装置１００との間はリアルタイム通信により接続されることが好ましい。図６は、先生が先生端末２１０を使用し、生徒Ａが生徒端末２２０Ａを使用し、生徒Ｂが生徒端末２２０Ｂを使用する場合を例示している。
【００５８】
先生端末２１０は、ログイン後、授業を行う教科（例えば、理科、社会など）に関する情報（教科情報）をサーバ装置１００に送信する（Ｓ５２）。教科情報が送信されるトリガーは特に限定されず、例えば、先生端末２１０からサーバ装置１００に授業で使用する教材を要求する際に併せて送信されるようにしても良いし、先生端末２１０に予めインストールされた教材を開くことにより自動送信されるようにしても良い。なお、発問−話型データベースＤＢ１（図４参照）において、思考力の種類を表す複数の項目並びに各項目に関連付けられた発問及び話型が複数の教科を通して共通に設定されている場合には、教科情報の送信ステップ（Ｓ５２）を省略しても良い。
【００５９】
続いて、サーバ装置１００において、項目配信部１３４は、発問−話型データベースＤＢ１に基づき、思考力の種類に対応する複数の項目を先生端末２１０に配信して表示させる（Ｓ５３）。この際、サーバ装置１００が先生端末２１０から教科情報を受信している場合には（Ｓ５２）、項目配信部１３４は当該教科情報に対応する項目を配信する。
【００６０】
図７は、先生端末２１０に表示される画面を例示する模式図である。図７に示す画面６００には、単元のタイトル表示領域６０１と、指導用の教材表示領域６０２とを含む教材画面が表示されている。なお、先生端末２１０において、教材の表示は必須ではない。サーバ装置１００から項目が配信されると、この画面６００に、付箋状の項目表示領域６１０が重畳して表示される。項目表示領域６１０内には、思考力の種類に対応する項目が表記された複数のアイコン６１１〜６１４が表示される。画面６００には、項目表示領域６１０の表示と非表示とを任意に切り替えるためのアイコン６２０を設けても良い。また、所定の操作（例えばドラッグ操作）により、先生が項目表示領域６１０を任意に移動できるようしても良い。
【００６１】
なお、思考力の種類に対応する項目の表示形式は、図７に例示するものに限定されない。別の例として、画面内に設けられたメニューバーをタップすることで、複数の項目が表示されたタブが開く形式としても良い。或いは、画面内に、項目が表記された複数のアイコンを含むツールバーを設けても良い。
【００６２】
先生端末２１０は、アイコン６１１〜６１４に対してなされる操作（タップ操作）に応じて、特定の項目が選択された旨を示す信号をサーバ装置１００に送信する（Ｓ５４）。例えば、先生端末２１０は、アイコン６１１がタップされたことを検知すると、「推論する思考力  レベル１」が選択された旨を示す信号をサーバ装置１００に送信する。
【００６３】
サーバ装置１００において、項目抽出部１３５は、先生端末２１０から受信した信号に基づき、先生端末２１０において選択された項目を発問−話型データベースＤＢ１から抽出する。続いて、発問配信部１３６は、抽出された項目と関連付けられた発問データに基づき、抽出された項目に対応する思考力の種類に応じた発問を、先生端末２１０に配信して表示させる（Ｓ５５）。
【００６４】
図８は、先生端末２１０に発問が表示された状態を例示する模式図である。発問は、一例として、画面６００に対して重畳表示された付箋状の発問表示領域６３０に表示される。図８においては、項目表示領域６１０においてアイコン６１１が選択されており、このアイコン６１１が示す「推論する思考力  レベル１」に対応する発問が、発問表示領域６３０に表示されている。先生は、項目表示領域６１０に表示された発問を参考にすることにより、授業の中で生徒に適切な問いかけをすることができる。なお、発問表示領域６３０は、アイコン６２０に対する操作（タップ操作）により、表示と非表示とを任意に切り替えられるようにしても良い。また、ドラッグ操作等により、先生が発問表示領域６３０を任意に移動できるようしても良い。
【００６５】
また、サーバ装置１００において、話型配信部１３７は、項目抽出部１３５により抽出された項目と関連付けられた話型データに基づき、抽出された項目に対応する思考力の種類に応じた話型を、生徒端末２２０Ａ、２２０Ｂに配信して表示させる（Ｓ５６）。
【００６６】
図９は、生徒端末２２０に話型が表示された状態を例示する模式図である。図９に示す画面７００には、一例として、生徒が自由に記入できるノートが表示されている。なお、画面７００に、学習中の教材が表示されていても良い。この画面７００に、付箋状の話型表示領域７１０が重畳して表示される。また、画面７００に、話型表示領域７１０の表示と非表示とを任意に切り替えるためのアイコン７２０を設けても良い。また、ドラッグ操作等により、生徒が話型表示領域７１０を任意に移動できるようしても良い。
【００６７】
話型表示領域７１０における話型の表示形態は特に限定されない。一例として、図９に示すように、生徒に考えさせたい内容（例えば、予想及び根拠）を空欄にした文章の形態であっても良い。生徒は、話型表示領域７１０に表示された話型を参考にすることにより、或いは、空欄を埋める作業を行うことにより、先生が意図した思考力を促進させることができる。
【００６８】
図１０は、生徒端末２２０に話型が表示された状態の別の例を示す模式図である。図１０に示す画面７３０には、生徒用の教材表示領域７３１と、ノート領域７３２とが設けられている。この例においては、ノート領域７３２内の所定の領域（話型表示領域７４０）に話型が直接表示されている。
【００６９】
話型表示領域７１０、７４０（図９）に表示された話型の空欄に生徒が回答を書き込んだ場合、ネットワークＮを介して、先生端末２１０や他の生徒端末２２０との間で、話型表示領域７１０、７４０に書き込まれた回答を共有（シェア）しても良い。この場合、他の生徒の回答を生徒が互いに評価し、評価の結果（感想や評価点）を共有できるようにしても良い。
【００７０】
以上説明したように、本実施形態によれば、先生自身が選択した項目に対応する発問が先生端末２１０に表示されるので、先生は、表示された発問を参照することにより、生徒に対し、育成したい（意図した）思考力の種類に応じた適切な問いかけをすることができる。また、生徒は、生徒端末２２０に表示された話型を参照することにより、思考の道筋や求められているアウトプットを認識することができる。そのため、生徒は、提示された思考の道筋に沿って、或いは、求められているアウトプットに向かって、無理なく思考を促進させることができる。従って、本実施形態によれば、学習指導者の経験の多少によらず、思考力を育成する学習支援を効率的に行うことができる。
【００７１】
なお、上述したとおり、本発明は、上記の実施の形態、及び、既に述べた変形例に限定されるものではなく、その要旨を逸脱しない範囲内において様々な変形が可能である。すなわち、上記実施形態はあらゆる点で単なる例示にすぎず、限定的に解釈されるものではない。
【符号の説明】
【００７２】
１  学習支援システム
１００  サーバ装置
１０１  演算処理部
１０２  ＲＯＭ
１０３  ＲＡＭ
１０４  外部インターフェース
１０５  入力部
１０６  外部メモリ
１０７  画像処理部
１０８  スロットドライブ
１０９  音声処理部
１１０  ネットワークインターフェース
１１１  ディスプレイモニタ
１１２  スピーカ装置
１２０  伝送路
１３１  サーバ通信部
１３２  サーバ記憶部
１３３  サーバ処理部
１３４  項目配信部
１３５  項目抽出部
１３６  発問配信部
１３７  話型配信部
２００  端末装置
２１０  先生端末
２２０、２２０Ａ、２２０Ｂ  生徒端末
２３１  端末通信部
２３２  端末記憶部
２３３  操作部
２３４  表示部
２３５  端末処理部
２３６  操作制御部
２３７  表示制御部
６００、７００、７３０  画面
６０１  タイトル表示領域
６０２、７３１  教材表示領域
６１０  項目表示領域
６１１〜６１４、６２０、７２０  アイコン
６３０  発問表示領域
７１０、７４０  話型表示領域
７３２  ノート領域
ＤＢ１  発問−話型データベース
【図１】
2019179139.tif 000003
【図２】
2019179139.tif 000004
【図３】
2019179139.tif 000005
【図４】
2019179139.tif 000006
【図５】
2019179139.tif 000007
【図６】
2019179139.tif 000008
【図７】
2019179139.tif 000009
【図８】
2019179139.tif 000010
【図９】
2019179139.tif 000011
【図１０】
2019179139.tif 000012